(57)【要約】      （修正有）【課題】低価格なエネルギー吸収機構のある自動引き込み命綱システムを提供する。【解決手段】命綱システムは、命綱４０ａと、命綱が巻かれるハブ１００ａとを含む。ハブは、命綱によって加えられる所定レベルの力でエネルギーを吸収するために、変形する。例えば、ハブは、２２０ポンドの質量を６．５６フィートまでの距離で、命綱に取り付けた命綱システムの落下試験での、最高落下停止力が１９００ポンドより大きくないように、エネルギーを吸収するために変形できる。いくつかの実施形態では、最高落下停止力が、１５００ポンドより大きくなく或いは１３４９ポンドより大きくない。【選択図】図１３Ａ
2014012207.tif 000002
【特許請求の範囲】
【請求項１】
命綱システムであって、
命綱と、
前記命綱が巻かれるハブとを含み、前記ハブは、２２０ポンドの質量を、６．５６フィートまでの距離で前記命綱に取り付けられた前記命綱システムの落下試験の、最高落下停止力が１９００ポンドより大きくないように、前記命綱によって及ぼされる所定レベルの力でエネルギーを吸収するように変形できる、ことを特徴とする、命綱システム。
【請求項２】
前記最高落下停止力が１５００ポンドより大きくない、請求項１に記載のシステム。
【請求項３】
前記最高落下停止力が１３４９ポンドより大きくない、請求項１に記載のシステム。
【請求項４】
前記ハブの第１側面で前記ハブに隣接した第１部品と、前記ハブの第２側面で前記ハブに隣接した第２部品とをさらに含み、前記ハブは前記第１部品及び前記第２部品と無関係に変形できる、請求項１に記載の命綱システム。
【請求項５】
前記ハブは、前記ハブと前記第１部品を含むドラム組立体の部品であり、前記第１部品は前記ハブよりも大きい直径を有する第１フランジを含む、請求項４に記載の命綱システム。
【請求項６】
前記ハブは、少なくとも１つのコネクタを介して前記第１フランジに取り付けられる、請求項５に記載の命綱システム。
【請求項７】
前記ドラム組立体はさらに前記第２部品を含み、前記第２部品は前記ハブよりも大きい直径を有する第２フランジを含む、請求項６に記載の命綱システム。
【請求項８】
前記ハブは、少なくとも１つのコネクタを介して前記第２フランジに取り付けられる、請求項７に記載の命綱システム。
【請求項９】
前記ハブは、前記ハブの少なくとも１部にわたって概ね円形断面のものである、請求項８に記載の命綱システム。
【請求項１０】
前記ドラム組立体は、軸線を中心に回転できる、請求項９に記載の命綱システム。
【請求項１１】
前記命綱の引き込みを容易にするために前記ドラム組立体と作動連結する状態にある張力機構をさらに含む、請求項１０に記載の命綱システム。
【請求項１２】
予め決められた加速度で前記命綱が延びるときに、前記ドラム組立体の回転を停止させるために、前記ドラム組立体と作動連結状態にあるブレーキ機構をさらに含む、請求項１１に記載の命綱システム。
【請求項１３】
エネルギーを吸収するために前記ハブが変形した後に、前記ドラム組立体は前記軸線を中心に回転可能のままである、請求項１０に記載の命綱システム。
【請求項１４】
前記軸線は前記ドラム組立体を貫通するシャフトによって構成される、請求項１３に記載の命綱システム。
【請求項１５】
前記ドラム組立体、前記ブレーキ機構及び前記張力機構を少なくとも部分的に収容するハウジングをさらに含む、請求項１３に記載の命綱システム。
【請求項１６】
第１フランジ及び第２フランジはほぼ変形を受けない前記ハブのほぼ中心部分を介して前記ハブに連結される、請求項８に記載の命綱システム。
【請求項１７】
前記ハブは、前記命綱が巻かれる周囲部材と、前記周囲部材と前記ほぼ中心部分の間の少なくとも１つの連結部材とを含み、前記周囲部材及び前記連結部材の少なくとも一部はエネルギーを吸収するために変形できる、請求項１６に記載の命綱システム。
【請求項１８】
命綱システムで使用するためのドラム組立体であって、
ハブと、前記ハブの第１側面の少なくとも第１フランジと、前記ハブは、２２０ポンドの質量を６．５６フィートまでの距離で前記命綱に取り付けられた前記命綱システムの落下試験での、最高落下停止力が１９００ポンドより大きくないように、前記ハブに巻きつけられる命綱によって及ぼされた所定レベルの力でエネルギーを吸収するために、前記第１フランジと無関係に変形できる、ことを特徴としている、ドラム組立体。
【請求項１９】
前記ハブの第２側面に第２フランジをさらに含む、請求項１８に記載のドラム組立体。
【請求項２０】
前記ハブは、前記第１フランジ及び前記第２フランジと無関係に変形できる、請求項１
９に記載のドラム組立体。
【請求項２１】
前記第１フランジ及び前記第２フランジは、ほぼ変形を受けない前記ハブのほぼ中心部分を介して前記ハブに連結される、請求項２０に記載のドラム組立体。
【請求項２２】
前記ハブは、前記命綱が巻かれる周囲部材と、前記周囲部材と前記ほぼ中心部分の間の少なくとも１つの連結部材とを含み、前記周囲部材及び前記連結部材の少なくとも一部はエネルギーを吸収するために変形できる、請求項２１に記載のドラム組立体。
【請求項２３】
命綱システムでエネルギーを吸収する方法であって、
前記命綱が巻かれる前記命綱システムの第１部品としてハブを準備するステップとを含み、前記ハブは、前記命綱によって加えられる所定レベルの力でエネルギーを吸収するために変形できる、前記方法。
【請求項２４】
前記命綱システムは、前記ハブの第１側面で前記ハブに隣接した少なくとも第２部品と、前記ハブの第２側面で前記ハブに隣接した少なくとも第３部品とを含み、前記ハブは前記第２部品及び前記第３部品と無関係に変形できる、請求項２３に記載の方法。
【請求項２５】
２２０ポンドの質量を６．５６フィートまでの距離で、前記命綱に取り付けた前記命綱システムの落下試験での、最高落下停止力が１９００ポンドより大きくない、請求項２３に記載の方法。
【請求項２６】
最高落下停止力が１５００ポンドより大きくない、請求項２５に記載の方法。
【請求項２７】
最高落下停止力が１３４９ポンドより大きくない、請求項２５に記載の方法。
【請求項２８】
命綱システムであって、
命綱と、
前記命綱が巻かれるハブと、前記ハブの第１側面で前記ハブに隣接した第１部品と、
前記ハブの第２側面で前記ハブに隣接した第２部品と、をさらに含み、前記ハブは前記第１部品及び前記第２部品と無関係に前記命綱によって加えられる所定レベルの力でエネルギーを吸収するために変形できる、前記命綱システム。
【請求項２９】
前記ハブは、前記ハブ、前記第１部品及び前記第２部品を含むドラム組立体の部品であり、前記第１部品は前記ハブよりも大きい直径を有する第１フランジを含み、前記第２部品は前記ハブよりも大きい直径を有する第２フランジを含む、請求項２８に記載の命綱システム。
【請求項３０】
前記ハブは、少なくとも１つのコネクタを介して前記第１フランジ及び前記第２フランジに取り付けられる、請求項２９に記載のシステム。
【請求項３１】
前記第１フランジ及び前記第２フランジは、ほぼ変形を受けないそのほぼ中心部分を介して前記ハブに連結される、請求項３０に記載のシステム。
【発明の詳細な説明】
【技術分野】
【０００１】
本発明は、命綱システムに関し、特に、エネルギー吸収機構或いはシステムを含む自動引き込み命綱システムに関する。
【背景技術】
【０００２】
以下の情報を、読者が下記の発明及び発明が代表的に用いられる環境を理解するのを助けるために提供する。ここに使用された用語は、この文書中で他に明確に言及されない限り、いかなる特定の狭い解釈に制限されるものではない。ここに記載された引用文献は、本発明或いは本発明の背景の理解を容易にする。ここに引用された全ての引用文献の開示を援用する。
【０００３】
相当高さから落下する作業者のけがを防ぐ或いは最小にする試みの中で多くの装置が開発されてきた。例えば、作業者の自由落下距離を特定距離に制限し且つ落下止め力を特定の値に制限する、（自動引き込み命綱、自動引き込みランヤード、落下止めブロック等として択一的に知られる）多数の装置が開発されてきた。
【０００４】
一般に、最も最近入手できる自動引き込み命綱安全装置或いはシステムは、多数の共通の部品を含んでいる。典型的には、ハウジング或いはカバーは、内部に収容された部品のための包囲体/保護体を提供する。ハウジングは、自動引き込み命綱を使用者か固定アンカーポイントのいずれかに留めるための、ハウジングに取付けられたコネクタを含む。コネクタは、所定質量の落下物体を所定距離内で停止させるのに要求される力に耐えなければならない。
【０００５】
命綱が巻かれるドラムは、ハウジング内で回転する。ドラムは、典型的には、使用者の可動性を妨げることなく、過剰に伸張させた命綱を巻き取るのに適当な回転張力下にある。アンカーコネクタ及び伸縮自在の命綱安全装置の他の作動部品のような、ドラムは所定質量の落下物体を所定距離内で停止させるのに必要な力に耐えるように形成される。ランヤードすなわち命綱は、その一端がドラムに取付けられ、ドラムに余分な命綱を巻き取らせる。命綱は、その他端が、使用者か固定点のいずれかに取付けられ、どちらもハウジングにすでに取付けられていない。
【０００６】
自動引き込み命綱システムは、また、落下が始まる兆候を示すとき自動引き込み命綱システムのドラム組立体を係止する（すなわち、ドラム組立体の回転を阻止する）機構を含む。例えば、自動引き込み命綱システムから引き出される安ロープ、ケーブル或いはウェブが、ドラム組立体を特定の角速度より早く回転させ或いは特定のレベルより大きい角加速度を経験させるとき、ブレーキ機構によりドラム組立体を急に止めることができる。
【０００７】
ドラムの回転を急に止めるとき、自動引き込み命綱システムが経験する力を考慮すれば、自動引き込み命綱システムの作動部品は、典型的には、それと関連した応力に耐えながら、回転止めを確実にするためにステンレススチールのような高強度材料で製造される。それに関して、落下は、自動引き込み命綱システムのブレーキ機構の作動時に停止されるが、急な停止は使用者にけがをさせ或いは望ましい応力より大きい応力を安全システムの１つ以上の部品に生じさせる可能性がある。
【０００８】
フランス（Sperian Protection社の事業部）、Antec of Vierzonから、STOPMAX EVOLUTIONTM（登録商標）という名称のもとに入手できる自動引き込み命綱システムの低価格のものでは、ドラム組立体を含む多数の部品は、低強度高分子材料で製造される。落下の場合にブレーキ機構が急に止まるとき、ドラム組立体は直ちに壊れ或いは作動しなくなり、典型的には命綱を締め、その結果（他の自動引き込み命綱と同様に）命綱の延びを急に停止し且つ相当な応力を生じさせる。
【０００９】
落下中に生じることがある相当な応力のために、或る機構或いは方法が、典型的に、落下のエネルギーの少なくともいくらかを吸収するために使用される。例えば、在る自動引き込み命綱では、ウェブ自身が、エネルギーを吸収するために切れるステッチによって、一緒に保持される特別の渦巻き或いは折りたたみを有する。他の自動引き込み命綱は、エネルギーを吸収するために摩擦ブレーキ機構を使用する。現在入手可能な自動引き込み命綱に使用された多くのエネルギー吸収機構及び/或いはエネルギー吸収方法は、製造中に追加の部品或いは組み立てステップを必要とし、この追加の部品或いは組み立てステップは、コスト、かさ高及び/又は複雑さを自動引き込み命綱に加える。
【００１０】
かくして、現在入手可能な自動引き込み命綱システムと関連した上記及び/又は他の問題を、減じ或いは除去するシステム、装置及び方法を開発することが望ましい。
【発明の概要】
【００１１】
１側面では、本発明は、命綱と、命綱が巻かれるハブと、を含む命綱システムを提供する。ハブは、命綱によって加えられる所定レベルの力でエネルギーを吸収するために、変形する。例えば、ハブは、２２０ポンドの質量を６．５６フィートまでの距離で、命綱に取り付けた命綱システムの落下試験での、最高落下停止力が１９００ポンドより大きくないように、エネルギーを吸収するために変形できる。いくつかの実施形態では、最高落下停止力が、１５００ポンドより大きくなく或いは１３４９ポンドより大きくない。
【００１２】
命綱システムは、ハブの第１側面でハブに隣接した第１部品と、ハブの第２側面でハブに隣接した第２部品と、をさらに含む。ハブは、第１部品及び第２部品と概ね無関係にエネルギーを吸収するために変形できる。すなわち、ハブの変形は、第１部品及び第２部品の著しい或いはいかなる変形もなしに起きる。いくつかの実施形態では、ハブは、ハブと第１部品を含むドラム組立体の部品であり、第１部品はハブよりも大きい直径を有する第１フランジを含む。ハブは、少なくとも１つのコネクタを介して第１フランジに取り付けられる。ドラム組立体はさらに第２部品を含み、第２部品はハブよりも大きい直径を有する第２フランジを含む。ハブは、少なくとも１つのコネクタを介して第２フランジに取り付けられる。
【００１３】
いくつかの実施形態では、ハブは、ハブの少なくとも１部にわたって概ね円形断面のものである。ドラム組立体は、軸線を中心に回転できる。
命綱システムは、命綱の引き込みを容易にするためにハブ/ドラム組立体と作動的に連結する張力機構をさらに含む。
【００１４】
命綱システムは、予め決められた加速度で命綱が延びるときに、ハブ/ドラム組立体の回転を停止させるために、ハブ/ドラム組立体と作動的に関連するブレーキ機構をさらに含む。
【００１５】
いくつかの実施形態では、エネルギーを吸収するためにハブが変形した後に、ドラム組立体は軸線を中心に回転可能のままである。軸線は、例えば、ハブ/ドラム組立体を貫通するシャフトによって構成される。
【００１６】
命綱システムは、ドラム組立体、ブレーキ機構及び張力機構を少なくとも部分的に収容するハウジングをさらに含む。
多数実施形態では、第１フランジ及び第２フランジはほぼ変形を受けないハブのほぼ中心部分を介してハブに連結される。ハブは、命綱が巻かれる周囲部材と、周囲部材とほぼ中心部分との間の少なくとも１つの連結部材とを含む。周囲部材及び連結部材の少なくとも一部はエネルギーを吸収するために変形できる。
【００１７】
他の側面では、本発明は、ハブと、ハブの第１側面の少なくとも第１フランジとを含む命綱システムに使用するためのドラム組立体を提供する。ハブは、２２０ポンドの質量を６．５６フィートまでの距離で命綱に取り付けた命綱システムの落下試験での、最高落下停止力が１９００ポンドより大きくないように、ハブの周りに巻かれた命綱によって加えられる所定レベルの力でエネルギーを吸収するために、第１フランジと無関係に変形できる。ドラム組立体は、また、ハブの第２側面に第２フランジをさらに含む。ハブは、第１フランジ及び第２フランジと無関係に変形できる。
【００１８】
第１フランジ及び第２フランジは、例えば、ほぼ変形を受けないハブの半径方向内方すなわちほぼ中心部分を介してハブに連結される。ハブは、たとえば、命綱が巻かれる周囲部材と、周囲部材とほぼ中心部分の間の少なくとも１つの連結部材とを含む。周囲部材及び/又は連結部材の少なくとも一部はエネルギーを吸収するために変形できる。
【００１９】
他の側面では、本発明は、命綱が巻かれる命綱システムの第１部品としてハブを準備するステップを含む命綱システムでエネルギーを吸収する方法を提供する。ハブは、命綱によって加えられる所定レベルの力でエネルギーを吸収するために変形できる。命綱システムは、たとえば、ハブの第１側面でハブに隣接した（例えば、すぐ隣りの）少なくとも第２部品と、ハブの第２側面でハブに隣接した（例えば、すぐ隣りの）少なくとも第３部品とを含む。ハブは第２部品及び第３部品と無関係に変形できる。
【００２０】
他の側面では、本発明は、命綱と、命綱が巻かれるハブとを含む命綱システムを提供する。ハブは、２２０ポンドの質量を命綱に取り付けた命綱システムの落下試験での、最高落下停止力が１９００ポンドより大きくないように、命綱によって加えられる所定レベルの力でエネルギーを吸収するために、変形できる。最高落下停止力は、また、１５００ポンドより大きくなく、１３４９ポンドより大きくなく、１２００ポンドより大きくなく、或いは１２００ポンドより大きくない。
【００２１】
さらなる側面では、本発明は、命綱と、命綱が巻かれるハブと、ハブの第１側面でハブに隣接した第１部品と、ハブの第２側面でハブに隣接した第２部品とを含む。ハブは、命綱によって加えられる所定レベルの力で第１部品及び第２部品と無関係にエネルギーを吸収するために変形できる。
【００２２】
ハブは、例えば、ハブ、第１部品及び第２部品を含むドラム組立体の部品である。第１部品はハブよりも大きい直径を有する第１フランジを含み、第２部品はハブよりも大きい直径を有する第２フランジを含む。ハブは、少なくとも１つのコネクタを介して第１フランジ及び第２フランジに取り付けられる。いくつかの実施形態では、第１フランジ及び第２フランジは、ほぼ変形を受けないそのほぼ中心部分を介してハブに連結される。
【００２３】
上述のように、ハブは、２２０ポンドの質量を６．５６フィートまでの距離で、命綱に取り付けられた命綱システムの落下試験での、最高落下停止力が１９００ポンドより大きくないように、エネルギーを吸収するために、変形できる。多数の実施形態では、最高落下停止力が１５００ポンドより大きくなく或いは１３４９ポンドより大きくない。
【００２４】
いくつかの実施形態では、かくして、本発明の自動引き込み命綱システムは、エネルギーを吸収するために変形できるハブのような部品を含む。特別の部品、特別のパーツ或いは特別の組み立てステップがそのようなエネルギー吸収を達成するために要求されることがない。本発明の自動引き込み命綱システムは、複雑さ、かさ高及び/又はコストを減じながら、現在入手可能な特定の自動引き込み命綱システムと比較して信頼性を増すことができる。
【００２５】
本発明は、本発明の特性及び付随する利点に沿って、添付図面と関連してなされる以下の記述を参照して最もよく認識され且つ理解されるだろう。
【図面の簡単な説明】
【００２６】
【図１】外側ハウジングが破線で概略的に示された本発明の自動引き込み命綱システムの実施形態の斜視図を示す。
【図２】図１の自動引き込み命綱システムの分解斜視図を示す。
【図３】図３Ａは図１の自動引き込み命綱システムの組み立てられたドラム組立体の実施形態の正面図を示す。図３Ｂは組み立てられたドラム組立体の斜視図を示す。図３Ｃは組み立てられたドラム組立体の側面図を示す。
【図４】ドラム組立体の分解斜視図を示す。
【図５】図５Ａは図３Ａのドラム組立体のハブの実施形態の斜視図を示す。図５Ｂはハブの正面図を示す。図５Ｃはハブの背面図を示す。図５Ｄは図５Ｂに開示された断面Ａ−Ａに沿うハブの断面図を示す。
【図６】ねじ及びハブフランジが隠れている応力がかけられていない状態のドラム組立体の正面図を示す。
【図７】ウェブ巻きの締め付け作用がハブを変形させている、ねじ及びハブフランジが隠されているドラム組立体を再び示す。
【図８】外側ハウジングが除去された本発明の自動引き込み命綱システムの他の実施形態の斜視図を示す。
【図９】図８の自動引き込み命綱システムの分解斜視図を示す。
【図１０】図１０Ａは図８の自動引き込み命綱システムの組み立てられたドラム組立体の実施形態の正面図を示す。図１０Ｂは図８の組み立てられたドラム組立体の斜視図を示す。図１０Ｃは図８の組み立てられたドラム組立体の側面図を示す。
【図１１】図８のドラム組立体の分解斜視図を示す。
【図１２】図１２Ａは図１０Ａのドラム組立体のハブの実施形態の斜視図を示す。図１２Ｂは図１２Ａのハブの正面図を示す。図１２Ｃは図１２Ａのハブの背面図を示す。図１２Ｄは図１２Ｂに開示された断面Ａ−Ａに沿うハブの断面図を示す。
【図１３Ａ】ねじ及びハブフランジが隠れている応力がかけられていない状態の図８のドラム組立体の正面図を示す。
【図１３Ｂ】ウェブ巻きの締め付け作用がハブを変形させている、ねじ及びハブフランジが隠されている図８のドラム組立体を再び示す。
【図１４】CEN (欧州標準化委員会) 標準 EN 360: 1992 and 2002 and EN 364: 1991 and 1993に開示される落下試験を示す図である。
【発明を実施するための形態】
【００２７】
図１は、外側カバー又はハウジング２０を概略的に点線で示す本発明の自動引き込み命綱システム１０の１実施形態を示す。カバー２０（カバー２０は、例えば、当業者に明らかなように２つの半部で形成されるのがよい）は、自動引き込み命綱システムの内部機構を損傷から保護するために役立つが、他にそのような内部機構の作動に著しく影響を及ぼすことはない。通常の使用では、自動引き込み命綱システム１０は、例えば、コネクタ３０を介して或る固定物に連結することができる。命綱の遠位端４４或いは命綱ウェブ４０（例えば、当該技術で知られているように高分子ウェブ材料）は、例えば、使用者５によって着用されたハーネス４００に連結することができる（図１参照）。変形例として、コネクタ３０は、使用者に（例えば、スナップリング或いはカラビナ５００を介してＤリング４１０に）連結することができ、且つ命綱ウェブ４０の遠位端４４は或る固定物に取付けることができる。
【００２８】
図２は、分解状態で自動引き込み命綱システム１０の部品を示す。ハウジング２０は、図２では省かれている。多数の部品が、シャフト７０を中心にフレーム部材５０及び６０に対して回転する。いくつかの実施形態では、フレーム部材５０及び６０及びシャフト７０は、例えば、ステンレススチールのような金属で形成することができる。シャフト７０は、フレーム部材５０及び６０の穴５２及び６２内に着座させられるシャフトブッシュ８０内でそれぞれ回転する。スナップリング９０のような保持体９０が、シャフト７０の座部７２と共動して、シャフト７０をブッシュ８０と回転可能に関連して保持する。
【００２９】
ハブすなわちドラム組立体１００は、第１ハブフランジすなわちプレート１１０と、命綱ウェブ４０が周りに巻きつけられるハブすなわちドラム１２０と、ウェブスリーブ１３０（例えば図５参照）ハブ又はドラム組立体１００は、第１ハブフランジ又はプレート１１０と、命綱ウェブ４０を周りに巻きつけるハブ又はドラム１２０と、ウェブスリーブ１３０と、第２ハブフランジ１４０と、ねじ１５０のようなコネクタと、を含む。いくつかの実施形態では、ハブプレート１１０とハブフランジ１４０は、アルミニウム或いはステンレススチールのような金属で形成され、ハブ又はドラム１２０は、下でさらに述べる高分子材料のような変形可能材料で少なくとも部分的に形成される。組み立てられるとき、ハブプレート１１０、ハブ１２０、ハブフランジ１４０及びねじ１５０が、シャフト７０上で回転するハブすなわちドラム組立体１００を形成する。命綱ウェブ４０のループ端４２は、（ウェブスリーブ１３０はハブ１２０内に形成された通路１２３で位置決めされる、例えば図４参照）ウェブスリーブ１３０及びシャフト７０を取り囲み、それによって、ループ端をドラム組立体１００内にしっかり留める。いくつかの実施形態では、ループ端４２は、例えば、（通路１２３と関連して或いは連通して、例えば図５Ａ乃至図５Ｄ参照）ハブ１２０に形成されたスロット１２１の中を通って延び、命綱ウェブ４０の一部分はハブ１２０の周りに巻きつけられ、ハウジング２０から延び且つ適当なハードウェアを介して（例えば、コネクタ５００及びＤリング４１０と共動する当業者に知られた端コネクタを介して）使用者に取付ける自由な遠位端４４を残す。変形例として、自由端４４は、或る固定箇所に取付けられてもよく、一方、自動引き込みランヤードシステム１０は上述のように使用者に取付けられる。
【００３０】
自動引き込み命綱と共通のように、命綱ウェブ４０の伸長後、命綱ウェブ４０を引き込めるためにドラム組立体１００に張力を付与することができる。それに関しては、シャフト７０は、ハブプレート１１０のスロット１１１に係合するシャフトピン７４によって、（下述のようにキャッチ又はブレーキベースとしても作用することができる）ハブプレート１１０を介してハブ又はドラム組立体１００に回転止めされる。動力ばね組立体１６０は、プラスチックハウジングの内側にばね鋼の普通コイルストラップ（図１及び図２で詳細に図示せず）を含む。ばね鋼ストラップの一端はハウジング２０に固定される。もう１方の他端は、シャフト７０のスロット７６に係合する。動力ばね組立体１６０のハウジングは、例えば、フレーム６０の穴６４に係合するハウジング上のスタッド１６４によってフレーム６０に回転止めされる。上述のように、命綱ウェブ４０は、ハブ１２０に留められ、そしてハブの周りに巻きつけられる。組み立ての際、動力ばねは、トルクをシャフト７０に、かくして、ハブ又はドラム組立体１００に付与するために巻き上げられる（wound up）。シャフト７０に付与されたトルクは命綱ウェブ４０に予め張力をかけ、命綱ウェブ４０がそこから巻きが解かれた（すなわち、ハウジング２０から引き出され或いは引き伸ばされた）後、命綱ウェブ４０をハブ１２０の周りに巻き取り或いは引き込ませる。
【００３１】
自動引き込み命綱システム１０は、また、当業者に知られたようなブレーキ機構を含む。例示の実施形態では、自動引き込み命綱システム１０は、２００９年２月２４日に出願された”自動引き込み命綱システム及びそのシステムのためのブレーキシステム”と題する米国特許出願（弁護士書類番号：07- 019）に記載されているようなブレーキ機構を含み、その開示をここに援用する。それに関して、キャッチピボット１７０が、ハブプレート/キャッチベース１１０内に取付けられ且つそれを貫いて延び、（キャッチ１９０の質量中心の近くの点に或いは質量中心に）キャッチブッシュ１８０及びキャッチ１９０のためのピボットをなす。ブレーキ機構は、また、ハブプレート/キャッチベース１１０の穴に係合する一端と、キャッチ１９０の穴に係合するもう一つの端と、を有する全体的にＶ形のキャッチばね２００を含む。”自動引き込み命綱システム及びそのシステムのためのブレーキシステム”と題する米国特許出願に記載されているように、キャッチばね２００によって加えられる力は、命綱ウェブ４０が落下の始まりと対応する加速速度で自動引き込み命綱システム１０から引き出されるときにのみキャッチ１９０が作動してブレーキを効かせるように、キャッチ１９０の回転慣性に対して釣り合わされている。例えば、キャッチ/キャッチばねが、命綱ウェブが重力加速度の２分の１倍或いは４分の３倍で引き出されるとき、作動するように設計される。より低い加速度の間すなわち使用者が歩いているときのようなウェブを一定速度で延ばしているとき、ハブ組立体１００は自由に回転する。
【００３２】
図３Ａ乃至図７は、本発明のハブすなわちドラム組立体１００の１実施形態の詳細を示す。当業者に明らかであるように、ハブ組立体１００は、多くのタイプの自動引き込み命綱システムと関連して使用できる。図１及び図２に示す自動引き込み命綱システム１０は、代表的な例としてのみ記載される。図３Ａ乃至図７では、ハブ組立体１００の部品は、一般的に開示され且つ自動引き込み命綱システム１０と関連して作動するための図１及び図２と関連して記載されたいくつかの特定要素を含まなくてもよい。
【００３３】
図３Ａ乃至図３Ｃは、組み立てられた状態のドラム組立体１００を例示するが、図４は、ばらばらにされすなわち分解された状態のドラム組立体１００を示す。上述のように、ドラム組立体１００は、ハブプレート１１０と、命綱ウェブ４０が巻きつけられているハブ又はドラム１２０と、ウェブスリーブ１３０（例えば図４参照）と、ハブフランジ１４０と、ねじ１５０のようなコネクタを含む。例えば図４に例示するように、１つ或いは２つ以上のコネクタ又はねじ１５０はハブフランジ１４０の通路１４２を貫通し、ハブ１２０の通路１２２を貫通し且つハブプレート１１０の通路１１２を貫通する。例えば、少なくとも通路１２２は、該通路と作動的に関連してねじ１５０を保持する、ねじと協同するねじ部を含むのがよい。また、上述のように、ハブプレート１１０と、ハブ１２０と、ハブフランジ１４０及びねじ１５０は、シャフト７０上を回転するドラム組立体１００を形成する。ハブプレート１１０及びハブフランジ１４０の各々は、命綱ウェブ４０をハブ１２０の周りに巻きつけることを助け或いは案内するためにハブ１２０よりも大きい半径/直径を有するのがよい。
【００３４】
図４に、ハブ１２０の周りに命綱ウェブ４０の３回巻き又は３回転を示す。しかしながら、本発明のハブすなわちドラム組立体のエネルギー吸収機能は、もっと多くの巻き或いはわずか１回巻きでも作動する。上述のように、ブレーキ機構は、落下の場合に、作動されたとき、ドラム組立体１００を止めて、シャフト７０上でのドラム組立体の回転を阻止する。ドラム組立体１００が止められた後、ハブ１２０は、下述のように変形してエネルギーを吸収できる。
【００３５】
図５Ａ乃至図５Ｄは、ハブ１２０の拡大図を示す。（例えば、共重合体ポリプロピレンのような高分子材料の一体ピースで成形される。）ハブ１２０は、ハブ１２０の外面すなわち周囲を形成する周すなわち周囲部材１２４を含む。命綱ウェブ４０は、周又は周囲部材１２４の周りに、巻きつけられ、周囲部材は、命綱ウェブ４０が通常の止められていない使用中、出したり引き込んだりするとき、周囲部材１２４のまわりの命綱ウェブ１４０の円滑な巻きとり及び巻きほどきを容易にする。例示の実施形態では、ハブ１２０は、また、周囲部材１２４とハブ１２０のシャフト連結部分すなわちほぼ中心部分との間に（例えば、ハブ１２０のほぼ中間部で）半径方向に延びる中間コネクタ又は隔壁１２６を含む。隔壁１２６の厚みは、下に記載するように、ハブ１２０によって提供されるエネルギー吸収を、調整し或いは決定するのを助ける。例示の実施形態では、隔壁１２６は、連続部材として示される。しかしながら、当業者は、隔壁１２６或いはハブの他の部分に、エネルギー吸収を調整するのを助ける空間が形成されてもよいことがわかる。そのような空間の数、スペース及び/又はサイズを変えて、エネルギー吸収を変動させてもよい。同様に、複数のとびとびの或いは別々の隔壁及び/又は他の部材は、周囲部材１２４とハブ１２０のシャフト連結部分又はほぼ中心部分との間に延びる。
【００３６】
いくつかの検討された実施形態では、（その周囲のほとんどにわたって概ね円形/円筒形断面を有していた）ハブ１２０は、半径約１．１８インチを有していた。例示実施形態では、周囲部材１２４は、ハブ１２０の周りの命綱４０の外巻きがほぼ円形断面形状のものとなるように、命綱自身が２重にされ且つ縫い付けられてループ４２を生じる命綱ウェブ４０の領域（例えば、図６参照）に順応する非円形断面形状領域を含む。
【００３７】
図６は、ねじ１５０とハブフランジ１４０が隠されているドラム組立体１００を示す。ドラム組立体１００が止まる直前、命綱ウェブ４０の自由端４４に取り付けられたウェート（例えば、使用者の重量に対応する２５０ポンド）は、ほぼ自由落下状態にあり且つ蓄積された相当の運動エネルギーを有していたと仮定される。図６に示す瞬間に、ドラム組立体１００が係止し、命綱ウェブ４０の張力が急速に増大し、命綱ウェブ４０の巻きをハブ１２０の周りに締め付ける。例示の実施形態では、例えば、大部分が隔壁１２６の厚さ（及び又は他の性質）によって決定された或る張力レベルで、ハブ１２０は、隔壁１２６に作用する半径方向力の結果つぶれ始める。
【００３８】
図７は、ねじ１５０及びハブフランジ１４０が隠されているドラム組立体１００を再び示す。命綱ウェブコイルの締め付け効果の結果、ハブ１２０が変形される（例えば、外径が減少する）。例示された変形ハブ形状は、推定である。隔壁１２６に及ぼされる力により、隔壁１２６を変形（ハブ１２０の領域に応じて、さまざまにゆがみ、圧縮し或いは延びる）させる。外側周囲部材１２４は、また、周長の減少の結果、変形して（例えば、ゆがみ及び折れ曲がって）いる。変形の実効果は、落下する重量を徐々に停止に至らせるように運動エネルギーを吸収することである。図６及び図７の比較では、（ウェートが取り付けられている）命綱ウェブ４０の自由端４４は、ポイントＤ１（図６参照）からポイントＤ２（図７参照）まで下降移動した。或る検討では、Ｄ１は、おおよそ３．０インチでありＤ２はおおよそ７．９インチであった。かくして、命綱ウェブ端は、その開始位置よりも７．９マイナス３．０インチすなわち４．９インチ低い。もしウェブ張力に対する自由端変位のグラフを示すならば、ウェブ張力に対する自由端変位のグラフのもとでの範囲は、吸収される全エネルギーと等しくなる。
【００３９】
ハブ１２０の周りの命綱ウェブ４０の巻き数が変位及び最大ウェブ張力に影響を及ぼす。それに関して、もしハブ１２０上により多くのウェブ巻きがあるならば、最大ウェブ張力はより小さくなるが、変位はより大きくなり、おおよそ同じエネルギー吸収を得る。さらに、巻きがより少ないと、おおよそ同じエネルギー吸収で、最大ウェブ張力はより大きくなるが、変位はより小さくなる。
【００４０】
ハブ１２０は、もし落下するウェイトが命綱ウェブ４０の自由端４４に取付けられるならば並びに命綱ウェブ４０の自由端４４が固定物/アンカーポイントに取り付けられるならば、上述のようなエネルギー吸収を提供する。さらに、エネルギー吸収ハブ１２０は、また、代表例として本発明に記載されたようなウェブ材料以外の、ロープ、ケーブル或いは他の伸張部材が命綱に使用される場合も、エネルギーを吸収するために作動することが理解される。
【００４１】
いくつかの実施形態では、ハブ１２０の少なくとも１部分は、エネルギーを吸収するために変形する変形可能材料で形成される。上述のように、ハブ１２０は、エネルギー吸収を微調整するために、調整することができる厚みを有する隔壁１２６を含む。それに関して、特定の場合に関して、もし隔壁１２６が薄すぎるならば、隔壁を押しつぶすために要求される力が小さすぎ、その結果、エネルギー吸収が小さすぎる。特定の場合に関して、もし隔壁１２６が厚すぎるならば、押しつぶしに要求される力が大きすぎ、再び、エネルギー吸収が小さすぎる。当業者は、所望のエネルギー吸収を達成するための適切な厚みを、確立された工学原理及び方法論を用いて容易に確立することができる。当業者に明らかであるように、また、多くの他のハブ形態を用いることができる。（例えば、ドラム組立体の高分子或いは金属ハブ部材の押しつぶしを介して）材料の非弾性変形は、エネルギー吸収方法論の１例である。また、弾性変形或いは弾性及び非弾性変形の組合せによってエネルギー吸収をすることが可能である。
【００４２】
例示の実施形態では、ハブ１２０は、例えば、上述のように落下の際ブレーキがかかるときに経験される張力/力により変形する。しかしながら、ハブプレート１１０（第１横方向フランジ）及びハブフランジ１４０（第２横方向フランジ）並びにシステム１０の他の部品は、そのような張力によりほとんど又は全く変形がしないことを示す。例示の実施形態では、ハブ１２０がハブプレート１１０及びハブフランジ１４０のいかなる変形とも無関係に変形することができるように、ハブ１２０はハブプレート１１０及びハブフランジ１４０に取り付けられている。当業者に明らかであるように、変形実施形態では、ハブプレート１１０及びハブフランジ１４０及び/又は自動引き込み命綱システム１０の他の部品は、ハブ１２０に連結されている必要がなく、すなわち、シャフト７０と係止した、回転連結状態にある必要はない。万が一ハブ１２０のいずれかの側でシステム１０の或いは変形実施形態の部品の１つ或いは２つ以上が変形するならば、例えば、命綱ウェブ４０のシンチングが起り（それによって命綱ウェブ４０の伸張を止める）或いは実在化する前に他の相互干渉が生じ、もしくはさらにエネルギー吸収をハブ１２０の変形によって生じることが可能である。さらに、もしハブ１２０以外の部品を変形させるならば、水平な命綱システム１０の作動に欠陥を生じさせることがある。
【００４３】
多数の実施形態では、ANSI Z359.1 標準及びカナダ規格協会(CSA) Z259.2.2 標準(ANSI Z359.1 Standard and the Canadian Standards Association (CSA) Z259.2.2 Standard)に従って、落下及びハブ１２０の関連した変形後でさえ、ドラム組立体１００は、シャフト７０を中心に回転でき、さらに、例えば、命綱ウェブそこに加えられている伸張力を除去できるときに命綱ウェブ４０を依然として引き込むように作動することができ、その開示をここに援用する。例えば、少なくとも隔壁１２６の一部分及び周囲部材１２４の一部は変形できるが、通路１２３の周りのハブ１２０のほぼ中心部或いはフランジ連結部分は、（ハブプレート１１０及びハブフランジ１２０のような隣接した部品を変形させることなく）ハブ１２０の半径方向外方部分の変形後に、シャフト７０とともにハブ又はドラム組立体１００の回転を容易にするようにほぼあるいは完全に変形されないままである。ハブ１２０の中心部は、例えば、材料厚みの増大或いは当業者に知られているような他の構造技術によって強化される。ハブ１２０の中心部分は、また、ハブ１２０の変形部分と異なる（例えば、それよりも強固な）材料で形成される。
【００４４】
例示の実施形態では、例えば、通路１２２及び通路１２３の周囲は、ハブ１２０の中心部の変形が概ね生じないような増大された厚さを有するように形成される。ハブプレート１１０及びハブフランジ１４０は、ハブ１２０の中心部分と作動的に関連するので、ハブプレート１１０或いはハブフランジ１４０を変形させようとする力は、ハブプレート１１０或いはハブフランジ１４０にほとんど或いは全く伝達されない。ハブプレート１１０及びハブフランジ１４０は、例えば、高分子材料或いは金属材料で形成することができる。
【００４５】
図８乃至図１３Ｂは、自動引き込み命綱システム１０と同様の方法で作動する本発明の自動引き込み命綱システム１０aのもう１つの実施形態を示す。図８乃至図１３Ｂでは、自動引き込み命綱システム１０aの似た要素は、システム１０の対応する要素に、参照記号"a"を付加して同様に示される。図９に示すように、カバーは、２つのハウジング部材２０aの連結によって形成され且つ自動引き込み命綱システム１０aの内部機構を損傷から保護するために役立つ。自動引き込み命綱システム１０aは、例えば、コネクタ３０aを介して或る固定物に連結される。命綱４０（例えば、当業者に知られるような重合ウェブ材料）の遠位端４４aは、例えば、使用者５によって装着されるハーネス４００に連結される（図１参照）。変形例として、コネクタ３０aは、使用者に（例えば、スナップリング或いはカラビナ５００を介してＤリング４１０に）連結され、命綱４０aの遠位端４４aは、或る固定物に取付けられる。
【００４６】
図９は、ばらばらにすなわち分解した状態の自動引き込み命綱システム１０aの部品を示す。自動引き込み命綱システム１０と関連して記載されるように、自動引き込み命綱システム１０aの多数の部品は、シャフト７０aを中心にフレーム部材５０a及び６０aに対して回転する。図８乃至図１３Ｂの実施形態では、フレーム部材５０a及び６０aは、Ｕ形長の金属（例えば、ステンレススチール）の一部として一体的に形成される。（例えば、ステンレススチールのような金属で形成される）シャフト７０aは、フレーム部材５０a及び６０aの通路５２a及び６２aでそれぞれ位置決めされたブッシュ８０a内で回転する。ねじ部材９２aのようなフランジリテーナは、シャフト７０aの一端に形成されるねじ通路７３aと共動し、シャフト７０aをフレーム部材５０a及び６０aと回転可能に連結して保持する。シャフト７０aの他端のフランジ７１aは、例えば、フレーム部材６０aと当接する。
【００４７】
システム１０Ａのハブすなわちドラム組立体１００aは、第１ハブフランジすなわちハブプレート１１０a、命綱ウェブ４０aが巻きつけられるハブすなわちドラム１２０a、第２ハブフランジ１４０a及びねじ１５０a（ねじ１５０aは、システム１０のねじ１５０と反対方向に向けられている）のようなコネクタを含む。いくつかの実施形態では、ハブプレート１１０a及びハブフランジ１４０aは、アルミニウム或いはステンレススチールのような金属で形成されていたが、ハブ１２０aは上述のような変形可能な重合材料で形成された。組み立てられるとき、ハブプレート１１０a、ハブ１２０a、ハブフランジ１４０a及びねじ１５０aは、シャフト７０a上で回転するハブすなわちドラム組立体１００aを形成する。ハブ１２０aは、おおよそ幅２５ｍｍである命綱ウェブを収容するために、ハブ１２０と比較して小さい直径及び大きい幅のものである（ハブ１２０aと比較すると、ハブ１２０はおおよそ幅１７ｍｍであるウェブを使用するように設計される）。命綱のループ端４２aは、ループ端４２aをドラム組立体１００a内にしっかり留めるためにシャフト７０aの周りのハブ１２０aに形成された通路１２３a内に配置される（例えば、図１２Ａ乃至図１２Ｄ参照）。ループ端４２aは、ハブ１２０aに形成されたスロット１２１aを通って延び、且つ命綱ウェブ４０aの一部は、ハブ１２０aの周りに巻きつけられ、ハウジング２０から延びる自由端４４aを残している。命綱ウェブ４０aは、また、例えば、落下保護技術で知られているように、ある長さの命綱ウェブ４０aが、ともに、それ自身の上に折り返され且つ縫い付けられ或いはステッチされるエネルギー吸収部分すなわちエネルギー吸収部４６aを含む。落下の場合には、エネルギー吸収部分４６aのステッチが切れてエネルギーを吸収する。
【００４８】
シャフト７０aは、（例えば、鋳造ステンレススチールのような金属で形成された）キャッチ又はブレーキベース１１２aを介してハブプレート１１０に回転止めされ、キャッチ又はブレーキベースは、ねじ１５０aによってハブプレート１１０aに連結される。それに関して、ブレーキベース１１２aは、該ベースに形成され、シャフト７０aが通る通路１１３aと、ハブプレート１１０のスロット７６aの半径方向外方部分に係合する半径方向内方の突出部材１１４aを含む。命綱４０aを、その伸張後、ハウジング部材１６８aによって形成されるプラスチックハウジングの内側にばね鋼のコイル巻きストラップ１６２aを含む動力ばね組立体１６０aを介して引き込むために、張力がドラム組立体１００aに加えられる。ばね鋼ストラップの半径方向外方端１６３aは、フレーム６０aに留められる。半径方向内方端１６３a’は、シャフト７０aのスロット７６aの半径方向内方狭部分に係合する。動力ばね組立体１６０の１つのハウジング部材１６８aは、例えば、フレーム６０aの当接部材６４aに係合する、ハウジング部材１６８a上の突出部材すなわちスタッド１６４aによってフレーム６０に回転止めされる。上述のように、命綱ウェブ４０aは、ドラム組立体１００aのハブ１２０aに留められ且つハブ１２０aの周りに巻きつけられる。組み立て時、動力ばね１６２aは、トルクをシャフト７０a及びドラム組立体１００aに加えるために”巻き取られる”。シャフト７０aに加えられるトルクは、命綱ウェブ４０に予め張力をかけ、自動引き込み命綱システム１０と関連して上述したように命綱ウェブ４０がハブ１２０aから巻きほどかれた後、命綱ウェブ４０を、ハブ１２０aの周りに巻き取りすなわち引き込みを生じさせる。
【００４９】
自動引き込み命綱システム１０aは、また、ブレーキ機構を含む。自動引き込み命綱システム１０と同様に、自動引き込み命綱システム１０aは、米国仮特許出願第61/031,336号及び第61/045,808号に記載されているようにブレーキ機構を含む。それに関して、（例えば、鋳造ステンレススチールのような金属で形成された）キャッチ１９０aは、キャッチベース１１０aのねじ通路１１６aに連結するように、キャッチ１９０aに形成された通路１９２aの中を通る部分ねじ付きピボット部材１８０aを介してキャッチベース１１２aに（シャフト７０aの軸線と偏心して）枢動可能に或いは回転可能に取付けられる。ねじ付きピボット部材１８０a（及び通路１９２a）の軸線は、キャッチ１９０aの質量中心にほぼ対応するのが好ましい。それに関して、ピボット部材は、好ましくはキャッチ１９０aの質量中心の近くに位置決めされ、さらに好ましくは質量中心とできるだけ近くに位置決めされる。ブレーキ機構は、また、キャッチベース１１２のコネクタ１１７a（例えば、ループ或いは通路）に係合する一端及びキャッチ１９０aのコネクタ１９４a（例えば、ループ或いは通路）に係合するもう一つの端とを有するキャッチばね２００aを含む。キャッチばね２００aによって及ぼされる力は、キャッチ１９０aの回転慣性に対してほぼ釣り合わされ、そのために、システム１０と関連して上述したように、例えば命綱ウェブ４０aが、自動引き込み命綱システム１０aから落下の始まりと対応する加速速度で引き出されるときにのみキャッチ１９０aがブレーキを効かせるように（遠心力により）作動する。
【００５０】
図１０Ａ乃至図１３は、ハブ又はドラム組立体１００aの詳細を示す。ドラム組立体１００と同様に、ドラム組立体１００aは、多くのタイプの自動引き込み命綱システムと関連して用いることができる。ねじ１５０aは、キャッチベース１１２aの通路１１８a、ハブプレート１１０aの通路１１１a、ハブ１２０aの通路１２２a及びハブフランジ１４０aの通路１４２aを貫通し、ドラム組立体１００a及びキャッチベース１１２aを作動連結状態に保持する。
【００５１】
ハブ１２０と関連して記載したように、ハブ１２０aは、例えば、共重合体ポリプロピレンのような高分子材料の一体ピースで成形される。ハブ１２０aは、ハブ１２０aの外面すなわち周囲を形成する周又は周囲部材１２４aを含む。命綱ウェブ４０aは、周又は周囲部材１２４aの周りに巻かれ、該周囲部材は、命綱ウェブ４０aが通常の止められていない使用中、引き出され及び引き込まれるとき、命綱ウェブ１４０aを円滑な巻き及び巻きほどきを容易にする。また、ハブ１２０と関連して記載したように、ハブ１２０aは、また、周囲部材１２４aとハブ１２０aの半径方向内方又は概ね中心部分との間に延びる隔壁１２６aのような中間コネクタを含む。再び、ハブ１２０と関連して記載したように、隔壁１２６aの厚さによって、ハブ１２０aによって提供されるエネルギー吸収を、調整する或いは決定するのを助ける。
【００５２】
図１３Ａは、ねじ１５０a及びハブフランジ１４０aが隠れているドラム組立体１００aを示す。ドラム組立体１００aを止める直前に、命綱ウェブ４０aの自由端４４aに取り付けられたウェート（例えば、使用者の重量に対応する２５０ポンド）が、ほぼ自由落下状態であり且つ相当な運動エネルギーを蓄積したと仮定される。図１３Ａに示す瞬間に、ドラム組立体１００aが止まり、命綱ウェブ４０aの張力が急速に増大し、命綱ウェブ４０の巻きをハブ１２０aの周りに締め付ける。例えば、大部分が隔壁１２６aの厚さによって決定された或る張力レベルで、ハブ１２０aは、隔壁１２６aに作用する半径方向力の結果つぶれ始める（図１３Ｂ参照）。図１３Ａ及び図１３Ｂの比較により、ハブ１２０と関連して記述したものと同様のやり方で、エネルギーを吸収するハブ１２０aの変形を示す。また、ハブ１２０と関連して記述したように、通路１２３の周りのハブ１２０aのほぼ中心部分あるいはフランジ連結部分は、ハブ１２０aの少なくとも１部が変形してエネルギーを吸収した後に、ハブすなわちドラム組立体１００aの回転を容易にするために、ほぼあるいは完全に変形されないままである。
【００５３】
本発明の複数の検討では、システム１０及び１０aは、CEN (欧州標準化委員会) 標準 EN 360: 1992 and 2002 and EN 364: 1991 and 1993（CEN (European Committee for Standardization) standards EN 360: 1992 and 2002 and EN 364: 1991 and 1993）に開示されるような落下試験を受け、この開示をここに援用する。試験システムの概略は図１４に開示される。図１４では、力測定器具１が、１００キログラムの質量３の自由落下に起因する力を測定するために用いられる。複数の検討では、自動引き込み命綱システム４は、上記標準で規定されるように１００キログラム（ほぼ２２０ポンド）の質量３を付けて、（質量３を自動引き込み命綱システム４に取り付けるクリップすなわちコネクタ機構２から測定するとき、２ｍ或いはほぼ６．５６フィートを超えない）距離Ｈ落下させる。最高落下拘束力（ＰＦＡＦ）或いはブレーキ力の結果は、ＥＮ３６４に開示された1,349ポンド（6kN）の制限よりも小さい、ほぼ1,100ポンドであった。
【００５４】
上述説明及び添付図面は、現時点での発明の好ましい実施形態を開示する。もちろん、種々の修正、追加及び設計変更が、本発明の範囲から逸脱することなく、上述の教示に照らして等業者に明らかになる。本発明の範囲は、上述の説明によってではなく請求の範囲によって示される。特許請求の範囲と均等の意味及び範囲内で行われる全ての変更及び変化は、特許請求の範囲内に包含されるものである。
【図１】
2014012207.tif 000003
【図２】
2014012207.tif 000004
【図３】
2014012207.tif 000005
【図４】
2014012207.tif 000006
【図５】
2014012207.tif 000007
【図６】
2014012207.tif 000008
【図７】
2014012207.tif 000009
【図８】
2014012207.tif 000010
【図９】
2014012207.tif 000011
【図１０】
2014012207.tif 000012
【図１１】
2014012207.tif 000013
【図１２】
2014012207.tif 000014
【図１３Ａ】
2014012207.tif 000015
【図１３Ｂ】
2014012207.tif 000016
【図１４】
2014012207.tif 000017
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
命綱システムであって、
命綱と、
前記命綱が巻かれるハブとを含み、前記ハブは、２２０ポンドの質量を、６．５６フィートまでの距離で前記命綱に取り付けられた前記命綱システムの落下試験の、最高落下停止力が１９００ポンドより大きくないように、前記命綱によって及ぼされる所定レベルの力でエネルギーを吸収するように変形でき、
前記ハブは、前記命綱が巻かれる周囲部材と、前記周囲部材と前記ハブのほぼ中心部分の間の少なくとも１つの連結部材とを含む単一の部品であり、前記周囲部材及び前記連結部材の少なくとも一部はエネルギーを吸収するために変形できる、ことを特徴とする、命綱システム。
【請求項２】
前記最高落下停止力が１５００ポンドより大きくない、請求項１に記載のシステム。
【請求項３】
前記最高落下停止力が１３４９ポンドより大きくない、請求項１に記載のシステム。
【請求項４】
前記ハブの第１側面で前記ハブに隣接した第１部品と、前記ハブの第２側面で前記ハブに隣接した第２部品とをさらに含み、前記ハブは前記第１部品及び前記第２部品と無関係に変形できる、請求項１に記載の命綱システム。
【請求項５】
前記ハブは、前記ハブと前記第１部品を含むドラム組立体の部品であり、前記第１部品は前記ハブよりも大きい直径を有する第１フランジを含む、請求項４に記載の命綱システム。
【請求項６】
前記ハブは、少なくとも１つのコネクタを介して前記第１フランジに取り付けられる、請求項５に記載の命綱システム。
【請求項７】
前記ドラム組立体はさらに前記第２部品を含み、前記第２部品は前記ハブよりも大きい直径を有する第２フランジを含む、請求項６に記載の命綱システム。
【請求項８】
前記ハブは、少なくとも１つのコネクタを介して前記第２フランジに取り付けられる、請求項７に記載の命綱システム。
【請求項９】
前記ハブは、前記ハブの少なくとも１部にわたって概ね円形断面のものである、請求項８に記載の命綱システム。
【請求項１０】
前記ドラム組立体は、軸線を中心に回転できる、請求項９に記載の命綱システム。
【請求項１１】
前記命綱の引き込みを容易にするために前記ドラム組立体と作動連結する状態にある張力機構をさらに含む、請求項１０に記載の命綱システム。
【請求項１２】
予め決められた加速度で前記命綱が延びるときに、前記ドラム組立体の回転を停止させるために、前記ドラム組立体と作動連結状態にあるブレーキ機構をさらに含む、請求項１１に記載の命綱システム。
【請求項１３】
エネルギーを吸収するために前記ハブが変形した後に、前記ドラム組立体は前記軸線を中心に回転可能のままである、請求項１０に記載の命綱システム。
【請求項１４】
前記軸線は前記ドラム組立体を貫通するシャフトによって構成される、請求項１３に記載の命綱システム。
【請求項１５】
前記ドラム組立体、前記ブレーキ機構及び前記張力機構を少なくとも部分的に収容するハウジングをさらに含む、請求項１３に記載の命綱システム。
【請求項１６】
第１フランジ及び第２フランジはほぼ変形を受けない前記ハブのほぼ中心部分を介して前記ハブに連結される、請求項８に記載の命綱システム。
【請求項１７】
命綱システムで使用するためのドラム組立体であって、
ハブと、前記ハブの第１側面の少なくとも第１フランジと、前記ハブは、２２０ポンドの質量を６．５６フィートまでの距離で前記命綱に取り付けられた前記命綱システムの落下試験での、最高落下停止力が１９００ポンドより大きくないように、前記ハブに巻きつけられる命綱によって及ぼされた所定レベルの力でエネルギーを吸収するために、前記第１フランジと無関係に変形でき、
前記ハブは、前記命綱が巻かれる周囲部材と、前記周囲部材と前記ハブのほぼ中心部分の間の少なくとも１つの連結部材とを含む単一の部品であり、前記周囲部材及び前記連結部材の少なくとも一部はエネルギーを吸収するために変形できる、ことを特徴としている、ドラム組立体。
【請求項１８】
前記ハブの第２側面に第２フランジをさらに含む、請求項１７に記載のドラム組立体。
【請求項１９】
前記ハブは、前記第１フランジ及び前記第２フランジと無関係に変形できる、請求項１８に記載のドラム組立体。
【請求項２０】
前記第１フランジ及び前記第２フランジは、ほぼ変形を受けない前記ハブのほぼ中心部分を介して前記ハブに連結される、請求項１９に記載のドラム組立体。
【請求項２１】
命綱システムでエネルギーを吸収する方法であって、
前記命綱が巻かれる前記命綱システムの第１部品としてハブを準備するステップとを含み、前記ハブは、前記命綱によって加えられる所定レベルの力でエネルギーを吸収するために変形でき、
前記ハブは、前記命綱が巻かれる周囲部材と、前記周囲部材と前記ハブのほぼ中心部分の間の少なくとも１つの連結部材とを含む単一の部品であり、前記周囲部材及び前記連結部材の少なくとも一部はエネルギーを吸収するために変形できる、前記方法。
【請求項２２】
前記命綱システムは、前記ハブの第１側面で前記ハブに隣接した少なくとも第２部品と、前記ハブの第２側面で前記ハブに隣接した少なくとも第３部品とを含み、前記ハブは前記第２部品及び前記第３部品と無関係に変形できる、請求項２１に記載の方法。
【請求項２３】
２２０ポンドの質量を６．５６フィートまでの距離で、前記命綱に取り付けた前記命綱システムの落下試験での、最高落下停止力が１９００ポンドより大きくない、請求項２１に記載の方法。
【請求項２４】
最高落下停止力が１５００ポンドより大きくない、請求項２３に記載の方法。
【請求項２５】
最高落下停止力が１３４９ポンドより大きくない、請求項２３に記載の方法。
【請求項２６】
命綱システムであって、
命綱と、
前記命綱が巻かれるハブと、前記ハブの第１側面で前記ハブに隣接した第１部品と、
前記ハブの第２側面で前記ハブに隣接した第２部品と、をさらに含み、前記ハブは前記第１部品及び前記第２部品と無関係に前記命綱によって加えられる所定レベルの力でエネルギーを吸収するために変形でき、
前記ハブは、前記命綱が巻かれる周囲部材と、前記周囲部材と前記ハブのほぼ中心部分の間の少なくとも１つの連結部材とを含む単一の部品であり、前記周囲部材及び前記連結部材の少なくとも一部はエネルギーを吸収するために変形できる、前記命綱システム。
【請求項２７】
前記ハブは、前記ハブ、前記第１部品及び前記第２部品を含むドラム組立体の部品であり、前記第１部品は前記ハブよりも大きい直径を有する第１フランジを含み、前記第２部品は前記ハブよりも大きい直径を有する第２フランジを含む、請求項２６に記載の命綱システム。
【請求項２８】
前記ハブは、少なくとも１つのコネクタを介して前記第１フランジ及び前記第２フランジに取り付けられる、請求項２７に記載のシステム。
【請求項２９】
前記第１フランジ及び前記第２フランジは、ほぼ変形を受けないそのほぼ中心部分を介して前記ハブに連結される、請求項２８に記載のシステム。
【外国語明細書】
2014012207000001.pdf